(57)【要約】【課題】  本発明は、間歇走行する食材充填カップの開口面を仮シール止めするための間歇停止時間を短縮して、カップ食品の包装ラインを高速にして能率化し、また設備を簡素にして廉価とし、メンテナンスを容易にする仮シール装置を新規に提供することにある。【解決手段】  本発明は、リテーナーコンベア上に設ける仮シール手段にて間歇停止時に吊下げカップの開口面にシール蓋を被せ当てして仮シール止めするに当って、該カップを仮シール位置に押上げ且つ下支え降下させる山形をした傾斜ガイドを該リテーナーコンベア下に設け、該リテーナーコンベアの走行にて該カップを仮シール手段位置に押上げて仮シールし、仮シールを終えた該カップを下支え下降させることにより仮シールのための間歇停止時間を短縮して該リテーナーコンベアの間歇走行を高速化し、且つ該リテーナーコンベアの各カップの吊下げ穴に設けるべきシール蓋のズレを防止する案内枠を仮シール時に該カップを挟み支えする保持手段に開閉する半割輪形体にて唯一に設けたことにある。【選択図】図１
2013001447.tif 000002
【特許請求の範囲】
【請求項１】
リテーナーコンベア上に設ける仮シール手段にて間歇停止時に吊下げカップの開口面にシール蓋を被せ当てして仮シール止めするに当って、該カップを仮シール位置に押上げ且つ下支え降下させる山形をした傾斜ガイドを該リテーナーコンベア下に設け、該リテーナーコンベアの走行にて該カップを仮シール手段位置に押上げて仮シールし、仮シールを終えた該カップを下支え下降させることにより仮シールのための間歇停止時間を短縮して該リテーナーコンベアの間歇走行を高速化し、且つ該リテーナーコンベアの各カップの吊下げ穴に設けるべきシール蓋のズレを防止する案内枠を仮シール時に該カップを挟み支えする保持手段に開閉する半割輪形体にて唯一に設けたことを特徴とする間歇走行するカップの開口面の仮シール装置。
【発明の詳細な説明】
【技術分野】
【０００１】
この発明は、リテーナーコンベアに吊下げて間歇走行するカップの開口面をシール蓋にて仮シールする装置、詳しくはカップの開口面の仮シール止めのための間歇停止時間を短縮して、食材充填カップの包装ラインを高速能率化するとともに設備を低廉にしてメンテナンスを容易にすることにある。
【背景技術】
【０００２】
食材を充填したカップの包装ラインはシール蓋を仮シールと本シールの２回に分けて行って完璧を期すようにしているが、先行技術として提案されている仮シール装置に特許第４３７０１４１号がある。該公報は間歇走行するリテーナーコンベアの仮シール位置下に垂直に上下動する上下動体を設けて、仮シールのための間歇停止時に該上下動体が垂直に上動してカップを仮シール位置に押上げて仮シールし、仮シール後に垂直下動してカップをコンベアに再吊下げすることを記載し、また直立する４本などの規制ピンにてシール蓋をカップ上に案内することを記載している。
【先行技術文献】
【特許文献】
【０００３】
【特許文献１】特許第４３７０１４１号公報
【発明の概要】
【発明が解決しようとする課題】
【０００４】
しかしながら、上記公報はリテーナーコンベア下の上下動体の垂直上下動にてカップを仮シール位置に押上げて仮シールし、仮シール後に垂直降下してカップを再吊下げするので、図７の（１）乃至（７）に示すように仮シールには上下動体が垂直上下動を完了するまで間歇停止することが必要となるため、間歇停止時間が長くこのためカップ食品の包装ラインを高速にして能率化することができないという課題があった。
また該公報はシール蓋を４本などの直立した規制ピンにて案内するするため、シール蓋を引掛けてカップの開口面に被せ当てができないことが生ずるという課題があった。
【課題を解決するための手段】
【０００５】
本発明はリテーナーコンベア上の仮シール手段下を押上げ頂点とする山形をした傾斜ガイドを該リテーナーコンベア下に設けて、食材を充填したカップをリテーナーコンベアの走行にて傾斜ガイド上に乗せて押上げて間歇停止の初期には既にカップを仮シール位置に押上げて直ちに仮シールを行い、仮シールしたカップを該傾斜ガイドの下がり傾斜にて下支えしながら下降させることで仮シールの開始が早く、仮シールの直後には間歇停止を解き得ることで、仮シールのための間歇停止時間を短縮してリテーナーコンベアの間歇走行を高速化するようにする。さらに仮シール時にカップを挟み支え保持する保持手段にシール蓋のズレを防止する開閉する半割輪形体の案内枠を唯一にて設けて、設備を簡素にして廉価としメンテナンスを容易にして、かかる課題を解決するようにしたのである。
【発明の効果】
【０００６】
本発明は、リテーナーコンベア下に吊下げカップを走行しながら仮シール手段位置に押上げ、下支え降下させる山形をした傾斜ガイドを設けたので、カップは間歇停止の初期に仮シール手段位置に押上げられて仮シールし、仮シールの直後に間歇停止を解くことができることとなるので、リテーナーコンベアの間歇停止時間を著しく短縮して、リテーナーコンベアの間歇走行を高速にして能率化することができ、カップ食品の包装ラインの作業能率を飛躍的に向上させることができるという効果を生ずる。
【０００７】
カップの押上げと下支え降下をリテーナーコンベア下に設ける動力のない単純な山形をした傾斜ガイドにて行うことと、またシール蓋のズレを防止する案内枠を開閉する半割輪形体の一体にて唯一に設けたのでリテーナーコンベアの設備を簡単にして廉価とし、メンテナンスを著しく容易にするという効果を生ずる。
【図面の簡単な説明】
【０００８】
【図１】本発明の１実施例包装ラインの要部を示す側断面図
【図２】同、（ａ）は要部の拡大平面図、（ｂ）は縦断面図
【図３】同、挟み支え手段が閉じた状態の縦断面図
【図４】同、仮シールする状態を示す縦断面図
【図５】挟み支え部材の内面にカップの側面と同じテーパーを設けた実施例を示す縦断面図
【図６】挟み支え部材を旋回動により開閉するようにした実施例を示す縦断面図
【図７】従来例の作業順を示す説明図
【発明を実施するための形態】
【０００９】
本発明は、リテーナーコンベアに吊下げて間歇走行する食材充填カップの開口面を仮シール位置にて間歇停止させてシール蓋を被せて仮シール止めするに当って、該リテーナーコンベア下に仮シール位置を押上げ頂点とする山形をした傾斜ガイドを設けて、カップをリテーナーコンベアの走行にて傾斜ガイド上に乗せて仮シール位置に押上げて仮シールし、仮シール後に該カップを傾斜ガイドの下降面にて下支え降下させることで、仮シールのための間歇停止時間を短縮するようにして、リテーナーコンベアの間歇走行を高速化させるのである。さらに仮シール時にカップを挟み支えする保持手段上にシール蓋のズレを防止する案内枠を開閉する半割輪形体の一体にて唯一に設けて、リテーナーコンベアの構造を簡素にして廉価とし、メンテナンスを容易にするのである。
【実施例１】
【００１０】
図１乃至図４は本発明の第１実施例であって、カップ３内に食材Ｆを充填するラインは間歇走行するリテーナーコンベア１の各吊り下げ穴２にカップ３を嵌め、その上端の開口面フランジ３ａを吊下げ穴２に当て掛けて間歇走行させ、充填区間内に間歇停止した時に麺，調味料などを含む食材Ｆを順次充填し、次いで仮シール手段４の位置にて間歇停止して開口面フランジ３ａにシール蓋Ｓの側縁を被せて仮シール止めしてから本シール手段５に向けて間歇走行させるのである。
【００１１】
本発明はリテーナーコンベア１下に仮シール手段４の手前から仮シール手段４下を押上げ頂点とする山形をした傾斜ガイド６を設け、仮シール手段４の位置にリテーナーコンベア１の支持枠から直立する支持柱（いずれも図示してない）に開閉機構をもったカップ３の側面３ｂを両側から挟み支えする２つの平面視略半円形の挟み支え部材７ａ，７ｂからなる保持手段７を設ける。８は仮シール手段４に連動して上下動する仮シール用のシール棒、９は挟み支え部材７ａ，７ｂのそれぞれの上面に設けるシール蓋Ｓのズレを防止する開閉可能な半割輪形体をした案内枠である。
【００１２】
食材Ｆを充填してカップ３はリテーナーコンベア１の間歇走行により底面３ｃの一部が傾斜ガイド６上に乗ってほぼ垂直を保ったまま仮シール手段４の位置に押上げられて直ちに仮シールされることとなる。カップ３は側面３ｂの押上げ上部を保持手段７の閉じ作動にて挟み支えられることにより、押上げ過程でカップ３が傾斜しても正されて仮シール手段４に容易に芯合わせされることとなる。
【００１３】
仮シール手段４はカップ３の開口面フランジ３ａの外径と同形大きさとするシール蓋Ｓを多数重ね収容した上方の供給筒４ａの下端より蓋被せアーム４ｂにて１枚づつ取出して、回転し降下してカップ３の開口面フランジ３ａ上に被せられる。降下するシール蓋Ｓは保持手段７の上面に設けた半割輪形体をした案内枠９の閉じ作動によって作られる上広下狭形の輪体内を案内されることによってシール蓋Ｓは引っ掛かかることなしに正確に案内されてカップ３の上端フランジ３ａに縁合わせして被せられ、連動降下するシール棒８の熱シールによって２乃至数点または部分円弧形にて仮シール止めされることとなる。
【００１４】
このようにして食材Ｆを充填した各カップ３はリテーナーコンベア１の走行にて傾斜ガイド６に乗り押し上げられることで、上下動体による垂直上動と違って間歇停止の初期に仮シールすることができ、仮シール後は保持手段７の開きによる解放と、カップ３が傾斜ガイド６の下降面により下支えされて下降することで下降の初期に間歇停止を解くことができて仮シールのための間歇停止時間を著しく短縮することができることとなる。なおカップ３はリテーナーコンベア１の間歇走行により下支え降下を続けて開口面フランジ３ａは吊下げ穴２に再掛着して吊下げられて、本シール手段５下に走行して本シールされることとなる。
【００１５】
カップ３の開口面の仮シール止めは傾斜ガイド６により仮シール位置に押上げられることで、従来の上下動体の垂直上動による押上げに較べてカップ３の仮シール位置への到達が早くなることで、仮シールの開始を早くすることができ、また従来は上下動体が垂直下動してカップ３の開口面フランジ３ａが吊下げ穴２に再掛着するまで間歇停止している要があったのに較べて、本発明は仮シール後はカップ３を下支え下降させることで、仮シールの直後に間歇停止を解除することができて、仮シールのための間歇停止時間を短縮することによりリテーナーコンベア１の間歇走行を高速化することができることとなり、カップ食品の包装ラインのスピードを一段と向上させることができることとなる。また仮シール時にシール蓋Ｓのズレを防止する案内枠９を開閉する半割輪形体にしたことでシール蓋Ｓを引掛けることが全く生じないこととなる。しかもリテーナーコンベア１の各吊下げ穴２に設けていたのにかえて一体にて唯一に設けることで、リテーナーコンベア１の設備を単純にして簡素とし、設備コストを低廉にすることができることとなる。カップ３の仮シールのための押上げと降下再掛着も同様にしてリテーナーコンベア１の下傾斜ガイド６にて乗り支え下がりすることで、設備費が低廉となり、メンテナンスも簡便となる。
【実施例２】
【００１６】
図５は挟み支え部材７ａ，７ｂの略半円形をした内面にカップ３の側面の上広下狭テーパーと同じテーパー面７ｃを設けた実施例を示すもので、押上げカップ３を挟み支える際に同一テーパーによる面押しによりカップ３を強固に保持することができるものとなる。
【実施例３】
【００１７】
図６は挟み支え部材７ａ，７ｂを水平開閉することにかえて斜め上方の待避位置から旋回動して閉じるようにした実施例を示すもので、傾斜ガイド６により押上げられるカップ３に支障を与えないことになる。
【産業上の利用可能性】
【００１８】
本発明は、リテーナーコンベアにより間歇走行する食材充填カップの開口面の仮シールを短縮してカップ食品の包装スピードを向上することで広く利用されるものである。
【符号の説明】
【００１９】
１はリテーナーコンベア
２は吊下げ穴
３はカップ
３ａはカップの開口面フランジ
３ｂはカップの側面
３ｃはカップの底面
４は仮シール手段
５は本シール手段
６は傾斜ガイド
７は保持手段
７ａ，７ｂは挟み支え部材
８は仮止め用のシール棒
９はズレを防止する案内枠
Ｆは食材
Ｓはシール蓋
【図１】
2013001447.tif 000003
【図２】
2013001447.tif 000004
【図３】
2013001447.tif 000005
【図４】
2013001447.tif 000006
【図５】
2013001447.tif 000007
【図６】
2013001447.tif 000008
【図７】
2013001447.tif 000009